(57)【要約】      （修正有）【課題】水槽の内壁面や蓋板の裏面に藻苔類が発生することを未然に抑制する。【解決手段】水槽における藻苔類の発生抑制構造は少なくとも、水槽内の水と光源との間に紫外線をカットする材料を介在させてあることとし、前記した材料としてはフィルムあるいは塗料を用い、少なくとも蓋用板体の表面に貼装あるいは塗布してあることとし、前記した材料としてフォトクロミックガラス製の板体を少なくとも蓋体として使用することとする。【選択図】図２
0003129845.tif 000002
【実用新案登録請求の範囲】
【請求項１】
少なくとも、水槽内の水と光源との間に紫外線をカットする材料を介在させてあることを特徴とする水槽における藻苔類の発生抑制構造。
【請求項２】
前記した材料としてはフィルムあるいは塗料を用い、少なくとも蓋用板体の表面に貼装あるいは塗布してあることを特徴とする請求項１に記載の水槽における藻苔類の発生抑制構造。
【請求項３】
前記した材料としてフォトクロミックガラス製の板体を少なくとも蓋体として使用することを特徴とする請求項１に記載の水槽における藻苔類の発生抑制構造。
【考案の詳細な説明】
【技術分野】
【０００１】
本考案は水槽、特に観賞魚や観賞用水草を飼育、育成するために使用される水槽にあって、その水槽の内壁面の藻苔類が発生してしまうことを未然に抑制するための水槽における藻苔類の発生抑制構造に関する。
【背景技術】
【０００２】
従来、上記した水槽にあっては内部の水中を遊泳する魚や、植え付けられた水草をよりよく鮮明に観賞するため、人工的に蛍光灯等の光源から光を内部に照射し、水中を明るくしてやることが行なわれている。
【０００３】
しかしながら、この水に対しての光の照射はどうしても水槽を構成する透明ガラス壁面や上面の蓋板としてのガラス板等の内面に藻苔類、特に水中で生育する藻類を発生させる。この藻類は光合成植物であるため、特に魚類の吐出する二酸化炭素及び水との合成過程で酸素を放出するもので、体制や生殖により、時間的にも早い付着状態となってしまう。この藻の発生の初期的要因は胞子が水草に付着して水槽内に紛れ込んだり、空気中に漂っている胞子が水槽に入ってしまうこと等で、この藻を完全に遮断、根絶することは困難である。
【０００４】
この藻苔類の内壁面や蓋体内面の発生は、透光性を劣化させて、観賞の妨げとなるほか、水中に浮遊すると水の濁りを招き、フィルターでは濾過しきれない状態となってしまうこともあり、飼育している魚類等にも悪影響を与えてしまうものともなり、この藻苔類を取り除く清掃作業も面倒なものとなっていた。
【特許文献１】出願人は本願考案に関して先行する技術文献の調査を行なったが、格別に本願考案と関連し、あるいは類似すると思われる文献を発見することはできなかった。
【考案の開示】
【考案が解決しようとする課題】
【０００５】
本考案が解決しようとする問題点は、特に観賞用水槽にあって、水槽内を明るく照射するため、光源から光を照射するが、水槽の内壁面や蓋板の裏面にどうしても藻苔類が発生してしまい、これを未然に抑制する手段がなかったという点である。
【課題を解決するための手段】
【０００６】
この問題点を解決するために、本考案に係る水槽における藻苔類の発生抑制構造は少なくとも、水槽内の水と光源との間に紫外線をカットする材料を介在させてあることを特徴とし、前記した材料としてはフィルムあるいは塗料を用い、少なくとも蓋用板体の表面に貼装あるいは塗布してあることを特徴とし、前記した材料としてフォトクロミックガラス製の板体を少なくとも蓋体として使用することを特徴としている。
【考案の効果】
【０００７】
本考案に係る水槽における藻苔類の発生抑制構造は上記のように構成されている。そのために、水槽内に対して、特に水に対して光を照射し、内部を明るくする際に、紫外線のみを遮断することとなり、この紫外線のエネルギーを内部に与えることがなくなるため、ガラス壁面や蓋体の内面に藻苔類、特に水中で生育する藻の発生を未然に防止し、光合成作用を抑え、清浄な状態を保持させることができることとなる。
【考案を実施するための最良の形態】
【０００８】
図として示し、実施例で述べたような構成とすることで実現した。
【実施例１】
【０００９】
次に、本考案の好ましい実施の一例を図面を参照して説明する。図１は本考案に係る藻苔類の発生抑制構造を実施した水槽を示す斜視図、図２は同じく蓋用板体を示す部分拡大断面図である。
【００１０】
これらの図にあって１は観賞魚の水槽本体を示している。この水槽本体１は金属等製のフレーム２を有しており、このフレーム２に対し、上面を開放とし、左右前後の四方に透明のガラス板３、３‥が嵌め付けられている。
【００１１】
また、水槽本体１の上面開口にはフレーム２に架け渡して透明ガラス製の蓋板４が着脱自在に備えられている。この蓋板４は餌を与えたり、塵埃を掬い取ったりするために、水槽本体１の半幅程度のサイズとされているが、時には二枚の蓋板４をヒンジ等でつなぎ、一方を開閉自在とすること等もできる。
【００１２】
さらに、図中５は蛍光灯を示し、この蛍光灯５は一般的にランプホルダーのソケットに両端の口金を止着して使用され、このランプホルダーを蓋板４と近接させた状態で水槽本体１上に載置する蛍光灯５は概略的に水銀原子からの紫外線をガラス管内の蛍光体にあって、可視光を発生させる構造であるため、通常の光源からの光よりも、紫外線のエネルギー量が多いものとなる。
【００１３】
紫外線は通例４００ｎｍ〜１０ｎｍ（Ｘ線の長波長端）の周波数帯の光をさすが、エネルギーとして化学反応の励起、原子、分子の電離、そして内殻電子の励起を行なう。この作用によって、光エネルギーとして水中に照射されると、藻苔類の発生、生育に必要となるエネルギーを与えることとなる。
【００１４】
そこで、本実施例としては前記した蓋板４の外表面に紫外線をカット、即ち、紫外線特有の周波数帯の光を反射し、透過させることのないフィルム６を貼設した構成としてある。そのために、蛍光灯５から照射された光は紫外線のみがカットされた状態で水槽本体１内に供給され、内部を明るく照らすこととなる。尚、このフィルム６は蓋板４のみならず、すべてのガラス板３、３‥の表面に貼装することでより完璧な効果が得られる。
【００１５】
また、前記したフィルム６は紫外線をカットする成分、例えばハロゲン化銀結晶等を含有した塗料（透明塗料）を塗布することによっても代替することができ、この塗料の塗布によってフィルム６を貼設した場合と同様の効果を得ることができる。
【００１６】
さらに、前記した蓋板４自体にフォトクロミックガラスを使用することもできる。このフォトクロミックガラスは前記したハロゲン化銀結晶を含有している透明ガラスであり、光が照射されると、紫外線のみをカットし、着色するもので、照射を止めると速やかに元の状態に復帰する。従って、水槽本体１内への光の照射量、即ち、光量を変化させることとなり、前記したフィルム６や塗料と同様の効果がある。
【産業上の利用可能性】
【００１７】
本考案に係る水槽用における藻苔類の発生抑制構造は上記のように構成されている。そのため、本考案は観賞魚や水草のための水槽のみに限らず、人工池や釣り堀等にも広く応用実施することができる。加えて、実際上、藻苔類の発生を抑えるには、過度の餌の供与や、長時間に亘る光の照射をひかえ、フィルター機能を向上させることも必要で、水槽に限ってみると、使用する水槽の大きさに合った環境を作り、その上で、本考案を実施すると、より一層藻苔類の発生を抑制することが効率よくできることとなる。
【図面の簡単な説明】
【００１８】
【図１】本考案に係る藻苔類の発生抑制構造を実施した水槽を示す斜視図である。
【図２】蓋用板体を示す部分拡大断面図である。
【符号の説明】
【００１９】
１    水槽本体
２    フレーム
３    ガラス板
４    蓋板
５    蛍光灯
６    フィルム
【図１】
0003129845.tif 000003
【図２】
0003129845.tif 000004